Podtech/llm-jp-corpus-v4-ja_patent huggingface dataset:
(57)【要約】【課題】  外出時にハンドバッグ等に入れて人が簡便に持ち運べる携帯用椅子を提供する。【解決手段】  管状の本体の両端に折り畳み式の脚部を取り付けて台部分とし、取り外し可能なシート部を取り付けて椅子として利用し、使用後はシート部を本体内に丸めて挿入することにより棒状収納を可能とすることを特徴とする携帯用椅子。【選択図】  図  １
2006087867.tif 000002
【特許請求の範囲】
【請求項１】
管状の本体の両端に内側に折り畳むことのできる上４本、下４本の脚部を本体軸方向から見てＸ字になるように支持することができる支持部と、この上脚上端部に水平な天板部を形成し、この天板部には両端を支持棒によって支えられたシート部の、当該支持棒両端部に形成された突起が着脱可能な差し込み穴を形成し、上記管状の本体の両端にはシート部を本体内に丸めて収納するための蓋となるキャップを設けたことを特徴とする携帯用椅子。
【請求項２】
支持部は、上４本、下４本の脚部を本体両端部よりも外側に一定の角度で傾いた状態で支持することができるように形成されたことを特徴とする請求項１記載の携帯用椅子。
【発明の詳細な説明】
【技術分野】
【０００１】  本発明は、アウトドアライフや外出時に小さく折り畳んで人が持ち運ぶことを容易にした携帯用椅子に関するものである。
【背景技術】
【０００２】  従来の携帯用折り畳み椅子は、所謂パイプ椅子と呼ばれるもので、その構造は方形のパイプ２個をクロスさせ、その上部にシートを張ることで椅子として利用されていた。構造が簡単であるものの嵩張るため、それを持ち運ぶ時は自動車などの車両を使用することが多かった。
【発明の開示】
【発明が解決しようとする課題】
【０００３】  そのために次のような問題点があった。
従来のパイプ椅子に代表される携帯用椅子は、構造が二つ折で単純ではあるものの、閉じて収納した状態であっても面状にしか折り畳めず嵩張るため、人が持ち運ぶには適していなかった。そのために運搬手段が限定され、自動車などの車両を利用するアウトドアライフ等にしか利用できなかった。
本発明は、以上の問題点を解決するためになされたものである。
【課題を解決するための手段】
【０００４】    管状の本体の両端に内側に折り畳むことのできる上４本、下４本の脚部を本体軸方向から見てＸ字になるように支持することができる支持部と、この上脚上端部に水平な天板部を形成し、この天板部には両端を支持棒によって支えられたシート部の、当該支持棒両端部に形成された突起が着脱可能な差し込み穴を形成し、上記管状の本体の両端にはシート部を本体内に丸めて収納するための蓋となるキャップを設けたことを特徴とする携帯用椅子。
【発明の効果】
【０００５】  棒状に収納できるため、人が持ち歩くことが容易となり、アウトドアライフに限らず、街中への外出などの折にもハンドバック等に入れて持ち歩くことができる。
また、管状の本体のみを使用し、シート部の代わりに外出先で有り合わせの金属や木製のボードを利用することで、簡易テーブルとして使用することも可能である。
【発明を実施するための最良の形態】
【０００６】  以下、本発明の実施の形態（実施例）を説明する。
（イ）本管（１）の両端に上下各４個計８個の支持部（２ａ〜２ｈ）を本管軸方向から見てＸ字になるように、また本管軸側面方向から見て本体両端部よりも外側に一定の角度で傾いた状態で上脚（３）と下脚（４）を支持することができるように取り付け、その内側に折り畳み式の上脚（３）４本と下脚（４）４本をボルトナット（５）にて軸支する。その際、折り畳み時に左右の脚がかち合わないようにするため、図２に示すように左右両端８個の支持部（２ａ〜２ｈ）のうち４個の支持部（２ｃ，２ｄ，２ｇ，２ｈ）のボルトナット（５）の取り付け位置を脚先端部方向へずらしておく。
（ロ）上脚（３）の先端部に後述のシート部固定用穴（６）を持つ天板部（７）を形成する。
（ハ）上脚（３）４本のそれぞれに、使用時に上脚（３）による内側への倒れ込み防止の目的で、上脚（３）と支持部（２）の結合部分の形状に合わせて、断面が馬蹄形をした円筒状で可動式のストッパー（８）を取り付ける。
（ニ）下脚（４）の接地部分となる先端部は、使用時の安定感を保持するためと接地部分に傷を付けないようにするため半球状にする。
（ホ）本管（１）とは別に、上脚（３）の天板部（７）差し込み用突起（９）を両端部に折曲形成した２本の支持棒（１０）および支持棒（１０）に架設されたシート（１１）から成るシート部（１２）を用意する。
（ヘ）シート部（１２）を本管内に収納するために、本管（１）両端のそれぞれに蓋をすることが可能となるキャップ（１３）を用意する。
本発明は、以上の構成よりなっている。
本発明を利用するときは、上脚（３）と下脚（４）とを本管（１）の両端にある支持部（２ａ〜２ｈ）内にて起こして台部分とし、上脚（３）のストッパー（８）を上脚の支持部（２ａ，２ｂ，２ｃ，２ｄ）のボルトナット（５）部分まで移動させることにより上脚（３）を固定し、シート（１１）を架設した支持棒（１０）を上脚（３）に設けた天板部（７）に形成したシート部固定用穴（６）に差し込むことで、椅子として使用する。使用後の収納時には、シート部（１２）を天板部（７）から取り外し、上脚（３）と下脚（４）を折り畳んだ本管（１）内に丸めて挿入し、本管（１）の両端にキャップ（１３）をかぶせることにより棒状に収納する。
【図面の簡単な説明】
【０００７】
【図１】  本発明の使用状態を示す斜視図
【図２】  本発明の使用状態を示す拡大部分側面図
【図３】  本発明の収納状態を示す斜視図
【図４】  本発明のシート部を示す斜視図
【図５】  本発明の上脚先端部分の拡大斜視図
【図６】  本発明の上脚根元部分の拡大斜視図
【図７】  本発明のストッパー使用時の上脚根元部分の拡大斜視図
【図８】  本発明の下脚部分の拡大部分斜視図
【符号の簡単な説明】
【０００８】  １  本管
２ａ，２ｂ，２ｃ，２ｄ，２ｅ，２ｆ，２ｇ，２ｈ  支持部
３  上脚
４  下脚
５  ボルトナット
６  シート部固定用穴
７  天板部
８  ストッパー
９  差し込み用突起
１０  支持棒
１１  シート
１２  シート部
１３  キャップ
【図１】
2006087867.tif 000003
【図２】
2006087867.tif 000004
【図３】
2006087867.tif 000005
【図４】
2006087867.tif 000006
【図５】
2006087867.tif 000007
【図６】
2006087867.tif 000008
【図７】
2006087867.tif 000009
【図８】
2006087867.tif 000010
(57)【要約】      （修正有）【課題】飲料用のアルミ缶の形状や特徴を利用しクロスフロー型の変型種に加工し風の全方向性、防水性、風車の強度性、を強化し摩擦を極力抑えた装飾用風車おもちゃを提供する。【解決手段】飲料用アルミ缶本体の外周を利用し柱と羽根のー部を残し８等分に切断し羽根部分を少し外側へ折り曲げクロスフロー型の変型種に加工し、アルミ缶全体の特長を利用し風車本体の全風向、排水、防水、脱着、注油、摩擦、材料強度性を解決した。【選択図】  図１
2006087870.tif 000002
【特許請求の範囲】
【請求項１】
支柱枠（１）の最上部に軸（３）を設け、風向尾翼付風車を装着できる。下部に飲料用アルミ缶をクロスフロー型風車の変型種に加工した風車本体（４）を受けるベアリング軸受け（２）を設け、固定し上部軸受けとの２点間で風車本体（４）を支持するものである。又風車本体（４）を軸受けに差し込み式にすることにより装着脱着を簡単にした装飾用風車おもちゃである。
【発明の詳細な説明】
【技術分野】
【０００１】この発明は、支柱枠（１）に風車本体（４）を装着した風車おもちゃである。［背景技術］【０００２】従来支柱棒又は、支柱針金に装着した装飾用風車おもちゃがあつた。［発明の開示］［発明が解決しようとする課題］【０００３】    これは次のような欠点があつた。    （イ）１方向の風しか利用できなかった。    （ロ）強風などに対する強度が少なかった。    （ハ）軸受けなどの強度が少なかった。    （二）軸受けの防水処理がなかった。    （ホ）摩擦が多かった。    本発明は、これらの欠点を除くためになされたものである。［課題を解決するための手段］【０００４】    飲料用のアルミ缶本体を支柱と羽根部分を切断、羽根の部分を缶の外側へ少し折り曲げクロスフロー型の変型種に加工したものである。    この変型種を使用することによってどんな方向からの風をも捕らえ風車は止まる時間が少ないのである。    アルミ缶の長さにより２段３段と重ね軸に固定した風車本体（４）を左右対称に支柱枠（１）の軸受けに装着したものである。    又支柱枠（１）の最上部に軸（３）を固定その軸に風向型風車を装着できる。    本発明は、以上のような構成よりなる装飾用風車おもちゃである。［発明の効果］【０００５】    本発明は、以上のような構成よりなる、本風車を使用する場所は風車本体（４）が簡単に脱着出来る高さに垂直に取り付ける、又管理がしやすく風車が回るのがよく見えて、癒しの効果や風の動きを知ることが出来る。［発明を実施するための最良の形態］【０００６】    以下、本案の実施の形態について説明する。    （イ）支柱枠（１）の左右軸受けの上部より下部軸受け（２）へ風車本体（４）の軸を差し入れる。    （ロ）支軸枠（１）の上部に手の届く範囲の高さに垂直に取り付ける。    （ハ）最上部（３）の軸へ方向尾翼のついた風車を装着できる。    （二）本風車の下部軸受け（２）にはベアリングを使用しているため時々ミシン油を注油するとよい。    （ホ）風車本体（４）は装飾用風車であるため色あせなどで見苦しくなった場合い別の風車本体（４）と簡単に取替えが可能である。
【図面の簡単な説明】
【０００７】
【図１】本発明の正面図である。
【図２】本発明の側面図である。
【図３】本発明の風車本体（４）の平面図である。
【図４】本発明の支柱枠（１）の正面図である。
【図５】本発明の風車本体（４）の正面図である。
【図６】本発明のー部を欠いた側面図である。
【符号の説明】
【０００８】      １    支軸枠          ２    下部軸受け        ３    最上部軸      ４    風車本体
【図１】
2006087870.tif 000003
【図２】
2006087870.tif 000004
【図３】
2006087870.tif 000005
【図４】
2006087870.tif 000006
【図５】
2006087870.tif 000007
【図６】
2006087870.tif 000008
(57)【要約】【課題】従来無かった、火を消し忘れ防止する方法を、本来は用途が別々であるゴムと磁石を組み合わせる事により、可能になる。【解決手段】布にゴムを通し、伸縮させて、これに磁石をつけて１つの腕輪にし、腕に付けたり、ガスレンジに付けたりすることが出来る事を特徴とする。【選択図】図１
2006087865.tif 000002
【特許請求の範囲】
【請求項１】
伸縮する布状の、幅のある紐に、磁石を取り付けた腕輪。
【発明の詳細な説明】
【技術分野】
【０００１】  この発明は、ゴムと磁石を１つにし布で囲んだ腕輪の、その組合せと使用法に関するものである。
【背景技術】
【０００２】  従来、ゴムと磁石は別々に使うものである。
【発明の開示】
【発明が解決しようとする問題】
【０００３】  ガスレンジで火を使用中にもかかわらず、その事実を忘れ、その場から離れてしまい、鍋を焦がしてしまう事がある。それを防ぐ為に、本来別々に使用するべき物を１つに組合せ、解決する。
【課題を解決する為の手段】
【０００４】  筒状の布の中に、ゴムを入れ伸縮する腕輪にする。
その腕輪に、布で包んだ２つの磁石を表と裏から縫い合わせる。
常時、その腕輪は、、ガスレンジのつまみの近くに磁石で付けておく。火を使い始めたらゴムの輪のところを腕にはめる。そして、火を消したら元のつまみの近くにすぐ戻す。そうすると、火を使う時だけ、自分の腕にこの腕輪をはめている事なる。
【発明の効果】
【０００５】  火の使用中、その場から離れても、自分の目に付くところに腕輪をしているので、火を使っている事をすぐに思い出す事が出来る。
ゴムでフィット感が有り、家事中でも邪魔にならない。磁石付きなので、使用後はすぐにレンジに取り付けておけるので、無くすことが無い。
【発明を実施するための最良の形態】
【０００６】  以下、本発明の実施の形態について説明する。
筒状に縫った布の中に、腕の太さの長さのゴムを通し、腕輪にする。
布で包んだ２つの磁石を、腕輪縫いの合わせ部分の表と裏から動かない様に縫い合わせる。
腕の太さにより、Ｓ、Ｍ、Ｌとする。
【図面の簡単な説明】
【０００７】  図１  本発明の斜視図である。
【符号の説明】
【０００８】  １  ゴム入り紐状布
２  布で包んだ磁石
【図１】
2006087865.tif 000003
(57)【要約】【課題】  本考案は、学校、保育園・学習塾又は、インターネットカフェ等の共同又は、個別のパソコンデスクである。【解決手段】  本考案は、パソコンの破損、汚れを防止し又、幼児等のケガ等を防止する為に、パソコン本体をデスク上のボックスに収め、又、デスクのカドにソフトエッジ等を取付けケガを防止し、表面に汚れに強いデコラ等を貼ったパソコンデスクである。【選択図】  図２
2006087863.tif 000002
【特許請求の範囲】
【請求項１】
パソコン機器を、ボックス内に収納して、直接触れる事の無い様にし、透明板をとうしてモニターを見ながら外部に置いたキーボードを操作を行い、デスクのカドにクッションゴム等を貼り安全に配慮したのが特徴の学習パソコンデスク。
【発明の詳細な説明】
【技術分野】
【０００１】  本考案は、キーボードのみを外部に置き、パソコン本体に触れさせないパソコンデスク
【背景技術】
【０００２】  パソコンの普及に伴い、学校や保育園又、インターネットカフェ等不特定多数の人が、本パソコンに触れ、特に保育園児等の低年齢の子供達により故障の原因をつくっていた。
【発明の開示】
【考案が解決しようとす課題】
【０００３】  使用者、特に保育園児等の子供達は物を投げつけたり、勝手に触ったり、デスクのカドや上に上ってデスクが倒れてけがをしていた。
【課題を解決する為の手段】
【０００４】  本考案は、パソコン本体をボックス内に収納し、汚れやいたずらから守り、尚且つ使用者にケガの無い様にする為に、デスクのカドにソフトエッジ等のクッションゴムをつけ又、脚を丸型にし、上に乗っても倒れないように本数を多くする事により解決する。
【考案の効果】
【０００５】  幼児からの学習という事で保育所等にパソコンを導入する所が増えてきているが、子供達にケガ等があると信用問題となる。本考案によりパソコンの破損はもとより、それによるケガを防ぐことが出来る。
【考案を実施する為の最良の形態】
【０００６】  上述の様に、学校、保育園、インターネットカフェ等のパソコンを使用させて営業を行う場所など用途によって形態が変わるが、大人数から個室用まで本考案で対応出来る。
【実施例】
【０００７】  以下、添付図面に従って一実施例を説明する。記載の実施例は、保育園児の４人用で傍に講師（保育士）が付添える様になっている。【０００８】  デスクのカドとボックス上部にソフトエッジでケガの無い様配慮し、脚部は丸型を採用しカドが出ない様にしている、又、子供達がデスクの上に乗る可能性も考慮して、６０ｍｍの丸型脚を９本取付けてある。
ボックス内にパソコンを配置する為▲１▼から本体を中に入れ日頃は閉めておく、▲１▼の下に柱があり、子供達が荷重をかけても破損しない様に考慮してある。
モニターを▲４▼に固定金具で固定し、▲２▼の開閉式フロッピー出入れ口に本体を設置する、又パソコンが熱をもたぬ様▲３▼の通気口で換気する。【０００９】  本実施例は、下部が丸脚タイプだが、収納にする事も出来る。
【図面の簡単な説明】
【００１０】
【図１】  本考案の立面図である。
【図２】  本考案の平面図である。
【図３】  本考案の断面図である。
【図４】  本考案の透視図である。
【図５】  ８人用タイプである
【図６】  円卓タイプである
【符号の説明】
【００１１】▲１▼  開閉式パソコン挿入口
▲２▼  フロッピー出入れ口
▲３▼  通気口
▲４▼  透明板
▲５▼  丸型脚
▲６▼  タモ集成材又は、合板にデコラ貼
▲７▼  高さ調整ネジ
▲８▼  ソフトエッジ
▲９▼  本体設置位置
▲１０▼  モニター取付金具
【図１】
2006087863.tif 000003
【図２】
2006087863.tif 000004
【図３】
2006087863.tif 000005
【図４】
2006087863.tif 000006
【図５】
2006087863.tif 000007
【図６】
2006087863.tif 000008
(57)【要約】      （修正有）【課題】トイレのような狭い場所を掃除する時、足、腰、膝等に負担をかけずに出来る床を拭く掃除用具の提供。【解決手段】雑巾を棒１の先に、ゴムテ−プ３で固定する。雑巾が落ちたり動いたりしないように棒に滑り止めシート２をつけ、ファスナー付きゴムテープで雑巾を止める。雑巾の使用面積を広げるために棒の先端にスポンジ材４を取り付ける。【選択図】図１
2006087855.tif 000002
【特許請求の範囲】
【請求項１】
本発明品は、各家庭で、日常使用している雑巾を棒に固定する事により、高い所、狭い所を拭くときに、便利に使用する棒です。
【請求項２】
棒に雑巾を固定する形態は、雑巾が落ちたり、動いたりしないようにするために、棒に滑り止めシ−トをつけ、尚かつ、マジックテ−プ付きゴムテ−プで雑巾を止める。
【請求項３】
使用材質    棒部分  木、プラスチック、ビニ−ル、軽量金属
固定用  ビニ−ル、ゴムの滑り止め材、マジックテ−プ付きゴムテ−プ
【発明の詳細な説明】
【発明の詳細な説明】
【技術分野】
【０００１】本発明品は、家庭用品の掃除用具です。
【背景技術】
【０００２】機械製品だったり、電気製品であったり、単純に棒にスポンジ等が付いたものはありましたが、家庭で日常使用している雑巾を固定し、取り付けて使用する、掃除用具はありませんでした。
【発明が解決しようとする課題】
【０００３】高所、狭所を水拭き、乾拭きしたい時はどうしたら良いかを考えました。また、お金をかけずに、身近にある雑巾を利用して、そのような用具が出来ないものかと考えました。
【課題を解決するための手段】
【０００４】目的を達成するために、少し長い（１ｍ−２ｍ位）棒を考えました。雑巾を安定して固定するために、滑り止めシ−トを取り付け、雑巾の上からマジック付きゴムテ−プでとめます。雑巾の使用面積を広げるために、棒の先端にスポンジ材を取り付けました。
【発明を実施するための最良の形態】
【０００５】本発明品は、日常使用している雑巾を便利活用した掃除用具です。以下は添付図面にて説明致します。
【発明の効果】
【０００６】本発明品は、以上のように構成されていますので、足、腰、膝等が痛くて思うようにお掃除が出来ない時に、便利に、手軽に、取り付け、取り外して、普段どうりの拭き掃除が出来るようになったと思います。
【図面の簡単な説明】
【０００７】
【図１】本発明の実施形態の構成を表した、本体正面図です。
【図２】本発明を裏返しした状態を表す図です。
【符号の説明】
【０００８】１．  雑巾取り付け棒本体
２．  雑巾固定のめの滑り止めシ−ト
３．  雑巾固定の補助ゴムテ−プ（マジックテ−プ付）
４．  雑巾を広げるためのスポンジ
【図１】
2006087855.tif 000003
【図２】
2006087855.tif 000004
(57)【要約】【目的】従来品は、収納物の出し入れを比較的容易に行えるように設計されているため、縫製部位が多く形状が複雑となり、加工賃の高騰を招いていて、更に、開口部の防水性を高めるため雨蓋を設けるなどさらに一工夫を要している。  そこで、雨の進入を完全に防止し、且つ頻繁に収納物を出し入れしない、沢登攀や荷揚げ用等に適するリュックサックを提供するものである。【構成】開口部を有し袋体を呈する収納体と、帯状を呈する芯体の両端に、端部それぞれに止め具を有する緊定バンドを備えたカバー体を設けるとともに、  前記芯体の両側に、端部それぞれに止め具を有する緊定バンドを備えた少なくとも１対のカバー体を設けた本体とから構成し、  袋体を呈する収納体を、風呂敷状に覆い包む形の本体背面部に、背負い用の肩ベルトを、或いは肩ベルトと腰ベルトとを適宜位置に設けたことを特徴としている登山用リュックサック。【選択図】  図３
2006087858.tif 000002
【特許請求の範囲】
【請求項１】
開口部を有し袋体を呈する収納体Ａと、帯状を呈する芯体１１の両端に、端部それぞれに止め具を有する緊定バンド１３，１５を備えたカバー体１２，１４を設けるとともに、  前記芯体両側に、各端部それぞれに止め具を有する緊定バンド１７，１９を備えた少なくとも１対のカバー体１６，１８を設けた本体Ｂとから構成されたことを特徴とする登山用リュックサック。
【請求項２】
袋体を呈する収納体Ａを、風呂敷状に覆い包む形の複数のカバー体で形成される本体Ｂの背面部に、背負い用の肩ベルトを、或いは肩ベルトと腰ベルトとを適宜位置に設けたことを特徴とする請求項１記載の登山用リュックサック。
【発明の詳細な説明】
【技術分野】
【０００１】  本発明は登山やハイキングに使用されるリュックサック関するもので、特に、頻繁に収納物を出し入れしない、且つ高度な防止性が求められる、例えば、沢登攀や荷揚げ用等に適するリュックサックを提供するものである。
【背景技術】
【０００２】  従来品の代表的な例としては図５に示したようなものが良く知られている。所謂、一般的なリュックサックは、収納部を兼ねる本体３０の背面部３１に、肩ベルト３２を双肩に合う適宜位置に取付けるとともに、該ベルトの端末に緊定ベルト３３を設けたものである。
【発明が解決しようとする課題】
【０００３】  したがってこれら従来のリュックサックは、予め収納物の出し入れを比較的容易に行えるように考えて設計されているため、縫製部位が多く形状が複雑となり、加工賃の高騰を招いている。加えて、開口部の防水性を高めるためにも雨蓋を設けるなどさらに一工夫を要している。  そこで、頻繁に収納物を出し入れしない、沢登攀や荷揚げ用等に適する防水性を高めたリュックサックとして本発明はなされた。
【課題を解決するための手段】
【０００４】  本発明は前記目的を達成するため、開口部を有し袋体を呈する収納体と、帯状を呈する芯体の両端に、端部それぞれに止め具を有する緊定バンドを備えたカバー体を設けるとともに、前記芯体両側に、端部それぞれに止め具を有する緊定バンドを備えた少なくとも１対のカバー体を設けた本体とから構成して、収納体を風呂敷状に覆い包む形のこの本体の背面部に、背負い用の肩ベルトや腰ベルトを適宜位置に設けて課題解決の手段としている。
【発明を実施するための最良の形態】
【０００５】  本発明の実施の形態を、図面を参照して説明する。本発明は以下に説明する主要な二つの部材ＡとＢとから構成されていて、図１は、第１の部材の収納体Ａを示していて、この収納体Ａは袋状の本体１に開口部２を有するもので、防水加工が施された生地で作られている。【０００６】  図２は、もう一方の主要部材である本体Ｂを説明するもので、帯状を呈する芯体１１の両端にカバー体１２，１４を設け、このカバー体のそれぞれ端部に止め具を有する緊定バンド１３，１５を備えるとともに、前記芯体の、両側の対向位置に新たな１対のカバー体１６，１８を設け、このカバー体のそれぞれ端部に止め具を有する緊定バンド１７，１９を備え、さらに、端部に止め具を有する緊定バンド２１，２３を備えた別体で対のカバー体２０，２２を前記カバー体１６，１８に並べて設けている。【０００７】  ここで説明の本体Ｂの各カバー体は、前記収納体Ａをあたかも風呂敷の如く覆い包む形で使用されるので、芯体に設けられる数は収納体Ａの大きさに対応して決められる。  つまり、大型の収納体の場合は大型のリュックサックを意味し、芯体の両端に設けられるカバー体は大きいものであると同時に、カバー体もまた大きいものであると同時にその数も応分の複数対となる。【０００８】  図３は、図１で説明の収納体Ａを図２で説明の本体Ｂに乗せて風呂敷の如く覆い包む形でセッテングしている状態を示しているもので、図４はその終了状態を示している。即ち、本体Ｂの芯体の上に横たえられた収納体Ａの上下は、本体Ｂの両端に設けたカバー体１２，１４によって包まれ、その両脇は、芯体の両側に設けられた対のカバー体１６，１８や２０，２２によって包まれ、それぞれの端部に取付けられている止め具を備えた緊定バンドによって固定され、徐々にリュックサックの呈を成して行き、図４の最終段階を迎えればそのまま背負って登山できる状態となる。【０００９】  図３において背面に見え隠れしている符号Ｃで示された部材は腰バンドで、符号Ｄで示されている部材は肩バンドである。尚、図４ではこれらの腰バンドＣ並びに肩バンドＤは省略している。
【発明の効果】
【００１０】  本発明は以上説明のように、防水の生地で作られた袋状を呈する収納体Ａを、あたかも風呂敷で覆うが如く本体Ａの各カバー体で包み込んで、各カバー体に設けられている止め具を有する緊定バンドによって固定されると言う極めてシンプルな構成の登山用リュックサックを形成しているので、軽量に製造できる事、収納体Ａの防水性向上のみを心掛ければ良いので製造コストの軽減が図られる事、予め両端と両側のカバー体を一定のサイズで作っておけば、後は、収納体Ａのサイズが変更になっても（事実上のリュックサックのサイズ）本体は１体で対応できるので荷揚げなとに重宝である事、収納体Ａは何ら複雑な形状を呈ぜず袋状の状態なので、従来品と比して縫製部所が極端に少ない分、防水漏れが無く沢登攀用のリュックサックとして最適である事など、従来品では得られない数々の効果を奏する。
【図面の簡単な説明】
【図１】本発明を構成する主要な要素の一つである収納体の説明図である。
【図２】図１とともに本発明を構成する主要な要素の一つ、本体の説明図である。
【図３】図１の収納体を図２の本体で覆い包む進行状態を説明する図である。
【図４】図３の進行状態を更に進め、登山用リュックサックを形成した図である。
【図５】最も一般的なリュックサックを示す図である。
【符号の説明】
Ａ収納体      Ｂ本体      Ｃ腰ベルト      Ｄ肩ベルト１袋体      ２収開口部１１芯体    １２，１４，１６，１８，２０，２２カバー体１３，１５，１７，１９，２１，２３止め具を備えた緊定バンド
【図１】
2006087858.tif 000003
【図２】
2006087858.tif 000004
【図３】
2006087858.tif 000005
【図４】
2006087858.tif 000006
【図５】
2006087858.tif 000007
(57)【要約】【課題】リールストラップは、カギ、カードケース、携帯電話、カメラ等を収容する筐体が無く紐に連結し吊り下げさられ、ユーザーの、日常生活の動作中に揺動する。このようなリールストラップを、腕や手首に装着すると使いづらく、ユーザーの、日常生活の動作中は、衣服にすれ器物に当たり、損傷を招く原因となる。【解決手段】一端を開放して物品の出入り口にした筐体内の、出入り口とは反対奥側に、内壁を設け中に巻取り機構を具備し、物品を紐に連結し吊り下げた時に、作用点となる紐出入り孔を複数個あけた内壁にしたので、吊り下げられた物品を筐体内に的確に収容し、ぜんまいばねの弾性力と筐体内壁により揺動をとめる、紐出入り孔を替えるために、筐体を、蓋と本体との嵌合にし、筐体の本体にあけた２本の溝穴に、ベルトを通し腕や手首に装着する。【選択図】図1
2006087770.tif 000002
【特許請求の範囲】
【請求項１】
一端を開放して物品の出入り口にした筐体内の、出入り口とは反対奥側に、内壁を設け中に、ぜんまいばね、リール、巻軸、紐、等の巻取り機構を具備し、ぜんまいばねの弾性力で長さを自在に調整できる紐に、連結した物品が、一端を開放して物品の出入り口にした筐体内に収容できることを特徴とするリールストラップ。
【請求項２】
前記リールストラップは、一端を開放して物品の出入り口にした筐体内の、出入り口とは反対奥側に、内壁を設け中に、ぜんまいばね、リール、巻軸、紐、等の巻取り機構を具備し、物品を、ぜんまいばねの弾性力で長さを自在に調整できる紐に、連結し吊り下げた時に、作用点となる紐出入り孔を、複数個あけた内壁を特徴とする請求項１に記載するリールストラップ。
【請求項３】
前記リールストラップは、一端を開放して物品の出入り口にした筐体を、蓋と本体との嵌合にしたことを特徴とする請求項１または請求項２に記載するリールストラップ。
【請求項４】
前記リールストラップは、一端を開放して物品の出入り口にした筐体の本体にあけた２本の溝穴に、ベルトを通し腕や手首に装着することを特徴とする請求項１または請求項２または請求項3に記載するリールストラップ。
【発明の詳細な説明】
【技術分野】
【０００１】
本発明は、ぜんまいばねの弾性力で紐の長さが自在に調整できるリールストラップに関する。
【背景技術】
【０００２】
リールストラップは、カギ、カードケース、携帯電話、カメラ等を、ぜんまいばねの弾性力で長さを自在に調整できる紐に、連結し吊り下げ、本体ケース取付けのフックで衣服やベルトに装着できる。
【発明の開示】
【発明が解決しようとする課題】
【０００３】
すなわち、リールストラップは、カギ、カードケース、携帯電話、カメラ等の物品を収容する筐体が無く、ぜんまいばねの弾性力で長さを自在に調整できる紐に、連結し吊り下げさられている。
【０００４】
したがって、吊り下げられたカギ、カードケース、携帯電話、カメラ等の物品を、収容する筐体が無く、ユーザーの、日常生活の動作中に揺動する。
【０００５】
しかしながら、このようなリールストラップを、腕や手首に装着すると使いづらく、
日常生活の動作中は、衣服にすれ器物に当たり、損傷を招く原因となる。
【課題を解決するための手段】
【０００６】
本発明は、一端を開放して物品の出入り口にした筐体内の、出入り口とは反対奥側に、内壁を設け中に、ぜんまいばね、リール、巻軸、紐、等の巻取り機構を具備し、
【０００７】
カギ、カードケース、携帯電話、カメラ等の物品を、ぜんまいばねの弾性力で長さを自在に調整できる紐に、連結し吊り下げた時に、作用点となる紐出入り孔を、複数個あけた内壁にしたので、吊り下げられたカギ、カードケース、携帯電話、カメラ等の物品を、一端を開放して物品の出入り口にした筐体内に的確に収容し、ぜんまいばねの弾性力と筐体内壁により揺動をとめる。
【０００８】
紐出入り孔を替えるために、一端を開放して物品の出入り口にした筐体を、蓋と本体との嵌合にした。
【０００９】
一端を開放して物品の出入り口にした筐体の本体にあけた２本の溝穴に、ベルトを通し腕や手首に装着する。
【発明の効果】
【００１０】
本発明により、日常生活の動作中でも、巻取り機の、ぜんまいばねの弾性力で長さを自在に調整できる紐に、連結したカギ、カードケース、携帯電話、カメラ等の物品を、一端を開放して物品の出入り口にした筐体内に的確に収容し、ぜんまいばねの弾性力と筐体内壁により、揺動をとめるので、衣服にすれず器物に当たらず、損傷を招く原因を防ぎ、腕や手首に装着できるリールストラップなので、携帯電話、カメラ等の稼動時も素早く対応でき、携行の利便性が増大される。
【発明を実施するための最良の形態】
【００１１】
この発明の一実施形態を、図2に示す。
一端を開放して物品の出入り口にした筐体内の、出入り口とは反対奥側に、内壁6を設け中に、ぜんまいばね1、リール2、巻軸3、紐4、等の巻取り機構を具備し、カギ、カードケース、携帯電話、カメラ等の物品を、ぜんまいばねの弾性力で長さを自在に調整できる紐に、連結し吊り下げた時に、作用点となる紐出入り孔を、複数個あけた内壁6にしたので、吊り下げられたカギ、カードケース、携帯電話、カメラ等物品を、一端を開放して物品の出入り口にした筐体内に的確に収容し、ぜんまいばねの弾性力と筐体内壁により揺動をとめる。
紐出入り孔5を替えるために、一端を開放して物品の出入り口にした筐体を、蓋7と本体8との嵌合にした。
一端を開放して物品の出入り口にした筐体の本体にあけた２本の溝穴9に、ベルト11を通し腕や手首に装着する。
〔実施形態の効果〕
【００１２】
この実施形態は、図1に示すように、カギ、カードケース、携帯電話、カメラ等の物品を、ぜんまいばねの弾性力で長さを自在に調整できる紐に連結し、一端を開放して物品の出入り口にした筐体内に的確に収容し、揺動をとめるので、衣服にすれず器物に当たらず、損傷を招く原因を防ぎ、腕や手首に装着できるリールストラップなので、携帯電話、カメラ等の稼動時も素早く対応でき、携行の利便性が増大される。
【図面の簡単な説明】
【００１３】
【図１】この発明を腕に装着した斜視図である。
【図２】この発明の一実施形態を示す斜視図である。
【符号の説明】
【００１４】
１  ぜんまいばね  
２  リール
３  巻軸
４  紐
５  紐出入り孔
６  紐出入り孔を複数個あけた内壁
７  蓋
８  本体
９  溝穴
１０  紐ガイド            
１１  ベルト
【図１】
2006087770.tif 000003
【図２】
2006087770.tif 000004
(57)【要約】【課題】骨折、捻挫、又は足に障害を持つ人が楽に布団から出入りができ、かつ寝返りなど布団の中での動きが簡単に出来ることを課題とした。【解決手段】患者の下半身に沿ってアーチ型の屋根をつけ、柱はより幅広い動きが楽に出来るように左右に１本とした。【選択図】図２
2006087762.tif 000002
【特許請求の範囲】
【請求項１】
本発明は2本の基台材料１の上に2本の柱6を立て、その上に基台と平行に横梁３を片方に長く寄せて2本設置し、その両端に７，２のアーチ材を設置し、横梁３の中心にアーチ材4を設置した形状の離被架であり、基台１と横梁3と柱6の間が大きく開口した状態のため患部の足腰を痛めず、布団毛布を片側持ち上げるだけでベッドからの出入りが容易にできる離被架器具。
【発明の詳細な説明】
【技術分野】
【０００１】
脚の障害（骨折等）の患者が就寝のときの布団への出入り、又寝返りや脚の移動などを楽に、簡単に行うための器具に関するためのものである。
【背景技術】
【０００２】
従来から人の脚を部分的に覆う、あるいはパイプを縦に半分に切ったような形のもので下半身全体を覆うものはあった、だがこれでは出入りするのに大変な時間と苦痛を伴った、特にベッドへの出入りは一人ではできなかった、しかも脚は長い筒の中にあるため、体を動かせる範囲は極端に限定されてしまう。
【特許文献１】実登3006949
【発明の開示】
【発明が解決しようとする課題】
【０００３】
ひざの屈伸が困難な人がベッドに出入りする場合、今までのような筒状の器具では一度ベッドに腰を下ろした状態から器具に体を滑り込ませるのは困難である、本人が横になった状態から器具を設置そして布団を掛けるということになるが、入るときも出るときも他人の手が必要になる、これでは特にトイレなどのとき精神的な負担は人にも依るが計り知れない、多少困難は伴っても何とか一人でこの作業ができる装置を作ることを目的としたものである。
【課題を解決するための手段】
【０００４】
これを解決するため、ベッドに腰を下ろし脚は伸ばしたまま回転しても脚は器具に触れることがないように器具の側面をくり抜き上の布団を支える屋根の部分は器具の最も人の足に近いところ一箇所で支えることにした、
【発明の効果】
【０００５】
看護する人の負担が少なくなった、自分ひとりでもできるようになった
【発明を実施するための最良の形態】
【０００６】
従来の離被架はベッドで寝た状態の上に半円形上のアーチ型鋼鉄棒の毛布や掛け布団受けを設置、腰や足の患部の保護をしていたが、寝起きが不自由で痛いのを我慢し、時間を掛けて毛布や布団を取り除き離被架を片付けてからベッドからようやく降りることができた患者がベッドに寝かされると今までは旧型離被架が体の上にあるので、半身を起こしてベッドの頭のほうへ身体をずらしてベッドから降りるか又は介護を頼むことになります、本発明の離被架は寝たままで脚又は足を離被架の横から出られるので起床就寝が大変楽になり介護の手間も省けます、したがって一人で寝起きするときに生じる患部その他の痛みも十分軽減し快適に患部を治療することができます、以下、本発明品離被架をベッド上において使用するひとつの実施の形態を示し、添付の図面に基づいて説明する、図3、図4、は本発明の実施の形態の構成図、図、1図2、その動作説明図である、図1、図2において脚に障害を持つ人が寝た状態から布団を跳ね上げて上半身を起こしても布団は庇3，4，に保持されて落下することはない、左右どちらか足が見えるまで布団を上げる、腰を回転させて離被架から脱出する、出入りを容易にするために庇支え用柱6と大型アーチ兼柱2との距離を詰め庇3，4，の距離を伸ばしたため特に庇支え用柱5、6は強度のある材料を使用する構成とした、柱の補強は片側を2本にして設置すれば強度が大いに増強する。
【図面の簡単な説明】
【０００７】
【図１】側面図であり使用状況を示す。
【図２】上より見た図であり使用状況を示す。
【図３】離被架本体の側面図である。
【図４】斜視図であり２，３，４で夜具を支え１，５は基台と柱である。
【符号の説明】
【０００８】
1  基台
2  大型アーチ兼柱
3  庇金具
4  小型アーチ
5  庇支え用柱
6  庇支え用柱（外側の柱）
7  アーチ
【図１】
2006087762.tif 000003
【図２】
2006087762.tif 000004
【図３】
2006087762.tif 000005
【図４】
2006087762.tif 000006
(57)【要約】      （修正有）【課題】特別な配線をせずに、外部通信端末と予め発信先を登録した呼びだしボタンを押下するだけで通話できるようにしたインターホンを提供する。【解決手段】インターホン本体にＰＨＳカードを組み合わせ、ＰＨＳ無線を利用することにより外部通信端末と通話することが出来る。また、どこからでも着信するが発信先を制限することにより通話料を削減することが出来る。【選択図】図１
2006087061.tif 000002
【特許請求の範囲】
【請求項１】
インターホンにＰＣカード型電話機を組み合わせＰＨＳ無線を利用することにより特別な配線工事を必要とせずに予め登録された外部通線端末を自動で呼び出し、その発信先を切替スイッチ４が設けられたＰＨＳインターホン。
【請求項２】
請求項１においてスイッチがスライドスイッチであることを特長としたＰＨＳインターホン。
【請求項３】
ＰＨＳ無線の電波状態が良の場合は通話可能ランプ２が点灯し、通話中の場合は通話中ランプ３が点灯するＰＨＳインターホン。
【発明の詳細な説明】
【技術分野】
【０００１】  本発明は呼びだしボタン１を押下すると予め登録された番号を自動発信する機能を有し、特別な配線工事を必要とせずに電話機能を実現するＰＨＳインターホンに関するものである。
【背景技術】
【０００２】従来のインターホン設備は構内専用の連絡通話設備であり外部通信設備と通話することが出来なかった。
【発明の開示】
【発明が解決しようとする課題】
【０００３】特別な配線をせずに外部の通信端末と通話ができるようにする。発信先を予め登録できるので呼びだしボタン１を押下するだけで電話を掛けることができ、ダイヤルの手間が省ける。
【課題を解決するための手段】
【０００４】呼びだしボタン１を押下することにより制御装置が呼びだし機能を認識し、インターホンに組み込まれたＰＣカード型電話機に対して発信命令を出す。
【発明の効果】
【０００５】特別な配線工事をせずに外部の通信端末と通話が出来る。発信先を制限することによりコスト削減が出来る。
【発明の実施によるための最良の形態】
【０００６】本発明品に係る望ましい納入実施例を説明する。
本発明品は呼びだしボタン１を押下すると予め登録された番号を自動発信し外部通信端末と通信する機能を有する。常に連絡先が一定であるような場所への設置を推進する。
【実施例】
【０００７】何か問題が発生した時の連絡先が決まっている無人駐車場やＡＴＭなど。
【産業上の利用可能性】
【０００８】本発明品は呼びだしボタン１を押下するだけで予め登録された番号を自動発信する機能を有しており、ダイヤルする手間がないので緊急用や簡単な操作を必要とする場所で利用されることが考えられる。
【図面の簡単な説明】
【図１】本発明品の外観図
【図２】本発明品の背面図
【符号の説明】
１  呼びだしボタン
２  通話可能ランプ
３  通話中ランプ
４  切替スイッチ
【図１】
2006087061.tif 000003
【図２】
2006087061.tif 000004
(57)【要約】【課題】撮像素子を持つデジタルカメラやデジタルムービーにおけるホワイトバランスの調整は不可欠でその方法は難解で面倒であった。【解決手段】撮影レンズの前面にホワイトバランスセッターを取り付け、カメラを被写体の位置で撮影しようと思うカメラ位置に向けてホワイトバランスの設定操作を行う。【選択図】図１
2006087060.tif 000002
【特許請求の範囲】
【請求項１】
デジタルカメラおよびデジタルムービーのレンズ前に装着することを特徴とするホワイトバランス設定ツール。
【請求項２】
前記ホワイトバランス設定ツールは、半円球状または平板状で半透明の受光面を持つことを特徴とする請求項１記載のデジタル撮影ツール。
【発明の詳細な説明】
【技術分野】
【０００１】  この発明は、デジタル撮影におけるホワイトバランスの設定方法に関する。
【背景技術】
【０００２】  従来のホワイトバランスの基本的な設定方法は、図１の１に示すように、光の反射率が１８％になるようにペイントされた完全無彩色のニュートラルグレーカードを必要とし、それによる反射光を撮影して設定した。
【特許文献１】特許電子図書館にて、この発明に関連する他の発明が記載された文献を検索したが、見あたらなかった。
【発明の開示】
【発明が解決しようとする課題】
【０００３】  しかしながら、以上の技術によれば、ニュートラルグレーカードは、カメラで撮影して使用するためある程度の大きさを必要とし携帯しにくく、汚れ、破損等しやすい。また、使用に至ってはニュートラルグレーカードを希望する位置に固定するか、補助者に持たせる必要があり不便であった。また、かりに撮影者が意図的にアンバー色（夕景）の撮影するときは、撮影レンズの前にフィルターをセットしその分の露出を微妙に調整する必要があった。
そこで、この発明は、撮影者が希望するホワイトバランスを簡単に素早く正確に設定する方法とツールを提供することを課題とする。
【課題を解決するための手段】
【０００４】  以上の課題を解決するために、第一発明は、設定方法を入射光とするために撮影レンズの前面に半透明（乳白色）の拡散板を取り付けたことを特徴とするツールである。
また、第二発明は、半透明（乳白色）の拡散板を半円球状にし正確度を高めることを特徴とするツールである。第三発明はフィルターポケットを設けることにより撮影者が意図的に色温度を設定できることを特徴とするツールである。
【発明の効果】
【０００５】  第一発明、第二発明または第三発明によれば、設定方法を入射光方式にして、フィルターポケットを設けたので簡単に素早く、希望する色温度でホワイトバランスを設定することができる。
【発明を実施するための最良の形態】
【０００６】  この発明の一実施形態を、図２に示す。
ホワイトバランスセッターの本体は▲１▼受光部、▲２▼拡散部、▲３▼フィルターポケット部により構成されている、▲１▼および▲２▼は半透明（乳白色）の塩ビ樹脂製で▲３▼は遮光性の素材でカメラのレンズ部分にしっかりと固定できるように一体的に設けられている。【０００７】「実施形態の効果」
この実施形態によれば、半円球状の受光部および拡散部の働きで、被写体を照明している光を積分し透過率１８％の素材によって拡散部にホワイトバランスの設定に必要な、ニュートラルグレーカードの時と同等の結果を得ることができる。また意図的に色温度を変化させて撮影したい場合は必要なミレッド値の補色のフィルターを装填して設定することにより希望の結果を得ることかできる。よって、簡単に、素早く正確に設定することができる。【０００８】「他の実施形態」
図２の実施形態では、受光部は半円球状であったが、他の実施形態では、平板のものでも良い。ただし半円球状の受光範囲は無指向性で平板のものは単一指向性となる。
【産業上の利用可能性】
【０００９】現在カメラのレンズキャップは遮光性のものが使用されているがこのホワイトバランスセッターの機能を兼ねたキャップにすれば誰でもプロ並みのホワイトバランスの設定ができるようになる。また、水中撮影の場合、今まではホワイトバランスの設定は経験に頼るものが多かったようだがこの方法を使えば可能である。
【図面の簡単な説明】
【００１０】
【図１】従来の技術とこの発明の使い方を示す上面図である。
【図２】この発明を示すヨコ断面図と正面図である。
【符号の説明】
【００１１】▲１▼  受光部（乳白色半透明）            ▲２▼  拡散部（乳白色半透明）
▲３▼  フィルターポケット部
【図１】
2006087060.tif 000003
【図２】
2006087060.tif 000004
(57)【要約】【課題】本発明を使い、口内で歯・唇・舌を使って運動することにより普段使うことのない顔の表情筋や顎の筋肉が鍛えられて表情豊な小顔になり、また、リハビリやリラクゼーション効果を図ることを提供する。【解決手段】本発明はグミ等の食品やゴム等から形成されており、口内で歯や唇、舌を使って滑らずに結ぶ運動をすることができるように複数の細かい穴や突起又は溝を設けた棒状部分（１）を有することを特徴とする。或いは、口内で歯や唇、舌を使って先端部（２）を入れたり、引っ掛けたりする運動が可能な穴（３）を少なくとも１つ以上有することを特徴とする。また、口内で歯や唇、舌を使って知恵の輪遊びができる複数の輪（４）と輪を有する棒状部分（５）を設ける。【選択図】  図１
2006087322.tif 000002
【特許請求の範囲】
【請求項１】
口内で歯や唇、舌を使って滑らずに結ぶ運動をすることができるように複数の細かい穴を設けた棒状部分（１）を有するグミ等から形成されていることを特徴とする食品。
【請求項２】
口内で歯や唇、舌を使って滑らずに結ぶ運動をすることができるように複数の突起又は溝を設けた棒状部分（１）を有するグミ等から形成されていることを特徴とする請求項１記載の食品。
【請求項３】
口内で歯や唇、舌を使って先端部（２）を入れたり、引っ掛けたりする運動が可能な穴（３）を少なくとも１つ以上有するグミ等から形成されていることを特徴とする請求項１、２記載の食品。
【請求項４】
口内で歯や唇、舌を使って知恵の輪遊びができる複数の輪（４）と輪を有する棒状部分（５）を設けるグミ等から形成されていることを特徴とする請求項１、２、３記載の食品。
【請求項５】
シリコンゴム等から形成されていることを特徴とする請求項１、２、３、４記載の口内運動器具。
【発明の詳細な説明】
【技術分野】
【０００１】
本発明は、口内で歯・唇・舌を使って運動することにより普段使うことのない顔の表情筋や顎の筋肉が鍛えられて表情豊な小顔になり、また、リハビリやリラクゼーション効果を図ることができる、グミ等の食品及びゴムに関するものである。
【背景技術】
【０００２】
従来、口臭予防・虫歯予防・リラックスの為や顎を鍛える為にガムを噛んでいた。
【発明の開示】
【発明が解決しようとする課題】
【０００３】
解決しようとする問題点は、ガムは歯で噛むという顎の運動しかすることができなかった事、口内運動器具として見た場合使い捨てである事、また、食べられないので捨て無ければならない事の３点である。本発明は口内で歯はもちろん舌や唇を使って棒状のものを結んだり先端部分を穴に入れたりする事により複雑な口内運動ができ、リハビリや小顔にする為のエクササイズ時にはゴム等で形成されたものを使うことによりかなりの使用回数に対応でき、また、グミ等で形成されたものは口内運動した後に食べることができる。
本発明は、以上の問題点を解決する口内運動することができる食品及びゴムである。
【課題を解決するための手段】
【０００４】
本発明はグミ等の食品やゴム等から形成されており、口内で歯や唇、舌を使って滑らずに結ぶ運動をすることができるように複数の細かい穴や突起又は溝を設けた棒状部分（１）を有することを特徴とする。或いは、口内で歯や唇、舌を使って先端部（２）を入れたり、引っ掛けたりする運動が可能な穴（３）を少なくとも１つ以上有することを特徴とする。また、口内で歯や唇、舌を使って知恵の輪遊びができる複数の輪（４）と輪を有する棒状部分（５）を設けることを特徴とする口内運動することができる食品及びゴムである。
【発明の効果】
【０００５】
本発明を使用することにより、口内で歯・唇・舌を使って運動することにより普段使うことのない顔の表情筋や顎の筋肉が鍛えられて表情豊な小顔になり、また、リハビリやリラクゼーション効果を図ることができる。
【発明を実施するための最良の形態】
【０００６】
以下、本発明の実施の形態について説明する。
（イ）本発明はグミ等の食品やゴム等の材料からなり、口内で歯や唇、舌を使って滑らずに結ぶ運動をすることができるように複数の細かい穴や突起又は溝を有する棒状部分（１）を設ける。
（ロ）口内で歯や唇、舌を使って先端部（２）を入れたり、引っ掛けたりする運動が可能な穴（３）を少なくとも１つ以上設ける。
（ハ）口内で歯や唇、舌を使って知恵の輪遊びができる複数の輪（４）と輪を有する棒状部分（５）を設ける。
本発明は以上の構成よりなる。
本発明を使用する場合は、口内で歯・唇・舌を使って棒状部分（１）を結んだり、先端部（２）を穴（３）に入れたり、また複数の輪（４）と輪を有する棒状部分（５）を外したりして運動することにより普段使うことのない顔の表情筋や顎の筋肉が鍛えられて表情豊な小顔になり、また、リハビリやリラクゼーション効果を図ることができる。さらに舌を動かすことにより唾液の量が増え口臭や虫歯が抑えられる。なお、本発明のグミ等の食品が材料の場合、もちろん使用後食することができるし、
ゴム等の材料の場合、耐久性があるので数回から数十回の使用が可能である。
【図面の簡単な説明】
【０００７】
【図１】本発明の斜視図１
【図２】本発明の斜視図２
【図３】本発明の斜視図３
【符号の説明】
【０００８】
１  棒状部分
２  先端部
３  穴
４  輪
５  輪を有する棒状部分
【図１】
2006087322.tif 000003
【図２】
2006087322.tif 000004
【図３】
2006087322.tif 000005